(57)【要約】【課題】記録媒体上に重畳して記録される画像と文書との両方の視認性をバランス良く設定することができる記録画像作成プログラムおよび多機能周辺装置を提供すること。【解決手段】記録用紙Ｐ上に画像Ｇと文字Ｍとが重畳した印刷画像Ｋを印刷する場合、図７（ａ）に示すように、画像Ｇの透過率Ｎ１が低く（濃度が薄く）、画像Ｇが視認し難い場合には、図７（ｂ）に示すように、画像Ｇの透過率が高く（濃度が濃く）なるように、画像Ｇの透過率Ｎ１を透過率Ｎ２に設定し、画像Ｇの視認性を向上させる。その結果、文字Ｍが視認し難くなるものの、図７（ｃ）に示すように、文字Ｍの線分太さが、太くなるように、文字Ｍの線分太さＴ１を線分太さＴ２に設定することで、文字Ｍの視認性が向上し、画像Ｇと文字Ｍとの両方の視認性をバランス良く設定することができる。【選択図】図７
2009159354.tif 000002
【特許請求の範囲】
【請求項１】
記録媒体に背景として記録される画像と、その画像上に重ねて前記記録媒体に記録される文書とによって構成される記録画像を作成する記録画像作成プログラムにおいて、
前記画像を取得する第１取得ステップと、
前記文書を取得する第２取得ステップと、
前記第１取得ステップで取得した画像の透過率を設定する第１設定ステップと、
その第１設定ステップで設定した透過率に応じて、前記第２取得ステップで取得した文書を構成する文字、記号、符合、数字を例とする文書構成要素の線分幅を設定する第２設定ステップと、
前記第１設定ステップで設定した透過率で構成される前記第１取得ステップで取得した画像に、前記第２設定ステップで設定した線分幅の文書構成要素で構成される前記第２取得ステップで取得した文書を重ねて構成される記録画像を作成する作成ステップとを備えていることを特徴とする記録画像作成プログラム。
【請求項２】
前記第２設定ステップは、
前記第１設定ステップで設定した透過率が所定の基準よりも高い程、前記文書構成要素の線分幅を太く設定し、
又は、前記第１設定ステップで設定した透過率が所定の基準よりも低い程、前記文書構成要素の線分幅を細く設定することを特徴とする請求項１に記載の記録画像作成プログラム。
【請求項３】
前記所定の基準は、中域程度の所定範囲に設定されており、
前記第２取得ステップは、前記文書を取得した当初における前記文書構成要素の線分幅を当初幅として取得し、  
前記第２設定ステップは、
前記第１設定ステップで設定した透過率が前記所定の基準に含まれている場合には、前記文書構成要素の線分幅を前記当初幅に設定し、
前記第１設定ステップで設定した透過率が前記所定の基準よりも高い程、前記文書構成要素の線分幅を前記当初幅よりも太く設定し、
前記第１設定ステップで設定した透過率が前記所定の基準よりも低い程、前記文書構成要素の線分幅を前記当初幅よりも細く設定することを特徴とする請求項２に記載の記録画像作成プログラム。
【請求項４】
前記第２設定ステップは、
前記文書構成要素の線分幅を前記当初幅よりも太く設定する場合、前記当初幅が太い程、前記文書構成要素の線分幅を太く設定し、
前記文書構成要素の線分幅を前記当初幅よりも細く設定する場合、前記当初幅が太い程、前記文書構成要素の線分幅を細く設定することを特徴とする請求項３に記載の記録画像作成プログラム。
【請求項５】
前記当初幅が所定の閾値よりも細いかを判断する判断手段と、
その判断手段によって前記当初幅が所定の閾値よりも細いと判断された場合に、前記文書構成要素の線分幅を前記当初幅に設定する第３設定ステップを備え、
前記作成ステップは、前記判断手段よって前記当初幅が所定の閾値よりも細いと判断された場合には、前記第１設定ステップで設定した透過率で構成される前記第１取得ステップで取得した画像に、前記第３設定ステップで設定した線分幅の文書構成要素で構成される前記第２取得ステップで取得した文書を重ねて構成される記録画像を作成することを特徴とする請求項３又は４に記載の記録画像作成プログラム。
【請求項６】
前記画像を格納する格納手段と、前記文書が記録されている記録媒体から前記文書を読み取る読取手段と、記録媒体に記録する記録手段とを備えた多機能周辺装置において、
請求項１から５のいずれかに記載の記録画像作成プログラムを備え、
前記第１取得ステップは前記格納手段に格納されている画像を取得し、
前記第２取得ステップは前記読取手段で読み取った文書を取得し、
前記作成ステップは、その作成した記録画像を前記記録手段によって記録媒体に記録することを特徴とする多機能周辺装置。
【発明の詳細な説明】
【技術分野】
【０００１】
本発明は、記録画像作成プログラムおよび多機能周辺装置に関するものである。
【背景技術】
【０００２】
従来より、写真やイラストを例とする画像の上に文書を重ねて構成される記録画像を作成する記録画像作成プログラムが知られている。例えば、パーソナルコンピュータにインストールされているプリンタドライバには、文書作成用のアプリケーションで作成した文書を記録用紙に印刷する場合に、ＷａｔｅｒＭａｒｋとして所定の画像が選択されると、その画像上に文書を重ねて構成される記録画像を作成する機能を備えたものが知られている。しかし、この記録画像では、画像の透過率が高い（濃度が濃い）場合、その画像と重複する文書が視認しづらいという問題点があった。
【０００３】
一方、この問題点に関連し、次の特許文献１には、絵柄領域と背景領域とから成る元画像のうち、絵柄領域をマスクするマスク画像と、元画像とを重畳表示させる場合には、元画像を透過率ｔに設定し、マスク画像の色Ｉに（１−ｔ）の割合で色付けをして表示する。そして、透過率ｔを可変可能に構成することで、絵柄領域と背景領域との境界が、良好に視認できるようにする技術が記載されている。
【特許文献１】特開平８−２４１３９４号公報（段落第００３１乃至００３７、図４，図５等）
【発明の開示】
【発明が解決しようとする課題】
【０００４】
しかしながら、透過率が高い（濃度が濃い）画像と重複する文書を視認し易くするために、上述した特許文献１に記載されている技術を利用した場合、文書の視認性を向上させることはできたとしても、画像が視認し難くなるという問題点があった。即ち、画像と文書との両方の視認性を、バランス良く設定するのが困難であるという問題点があった。
【０００５】
具体的には、文書を構成する文字、記号、符合、数字を例とする文書構成要素の各々は、所定太さ（所定幅）の線分で構成されており、一定領域を占める画像よりも一般的に視認し難いので、文書の透過率はある程度高く（濃度を濃く）設定する必要があった。そのため、画像の透過率が低くなり、画像が視認し難くなるという問題点があった。即ち、画像と文書との両方の視認性を、バランス良く設定するのが困難であるという問題点があった。
【０００６】
本発明は上述した問題点を解決するためになされたものであり、記録媒体上に重畳して記録される画像と文書との両方の視認性をバランス良く設定することができる記録画像作成プログラムおよび多機能周辺装置を提供することを目的としている。
【課題を解決するための手段】
【０００７】
この目的を達成するために、請求項１記載の記録画像作成プログラムは、記録媒体に背景として記録される画像と、その画像上に重ねて前記記録媒体に記録される文書とによって構成される記録画像を作成するものであって、前記画像を取得する第１取得ステップと、前記文書を取得する第２取得ステップと、前記第１取得ステップで取得した画像の透過率を設定する第１設定ステップと、その第１設定ステップで設定した透過率に応じて、前記第２取得ステップで取得した文書を構成する文字、記号、符合、数字を例とする文書構成要素の線分幅を設定する第２設定ステップと、前記第１設定ステップで設定した透過率で構成される前記第１取得ステップで取得した画像に、前記第２設定ステップで設定した線分幅の文書構成要素で構成される前記第２取得ステップで取得した文書を重ねて構成される記録画像を作成する作成ステップとを備えている。
【０００８】
請求項２記載の記録画像作成プログラムは、請求項１に記載の記録画像作成プログラムにおいて、前記第２設定ステップは、前記第１設定ステップで設定した透過率が所定の基準よりも高い程、前記文書構成要素の線分幅を太く設定し、又は、前記第１設定ステップで設定した透過率が所定の基準よりも低い程、前記文書構成要素の線分幅を細く設定する。
【０００９】
請求項３記載の記録画像作成プログラムは、請求項２に記載の記録画像作成プログラムにおいて、前記所定の基準は、中域程度の所定範囲に設定されており、前記第２取得ステップは、前記文書を取得した当初における前記文書構成要素の線分幅を当初幅として取得し、前記第２設定ステップは、前記第１設定ステップで設定した透過率が前記所定の基準に含まれている場合には、前記文書構成要素の線分幅を前記当初幅に設定し、前記第１設定ステップで設定した透過率が前記所定の基準よりも高い程、前記文書構成要素の線分幅を前記当初幅よりも太く設定し、前記第１設定ステップで設定した透過率が前記所定の基準よりも低い程、前記文書構成要素の線分幅を前記当初幅よりも細く設定する。
【００１０】
請求項４記載の記録画像作成プログラムは、請求項３に記載の記録画像作成プログラムにおいて、前記第２設定ステップは、前記文書構成要素の線分幅を前記当初幅よりも太く設定する場合、前記当初幅が太い程、前記文書構成要素の線分幅を太く設定し、前記文書構成要素の線分幅を前記当初幅よりも細く設定する場合、前記当初幅が太い程、前記文書構成要素の線分幅を細く設定する。
【００１１】
請求項５記載の記録画像作成プログラムは、請求項３又は４に記載の記録画像作成プログラムにおいて、前記当初幅が所定の閾値よりも細いかを判断する判断手段と、その判断手段によって前記当初幅が所定の閾値よりも細いと判断された場合に、前記文書構成要素の線分幅を前記当初幅に設定する第３設定ステップを備え、前記作成ステップは、前記判断手段よって前記当初幅が所定の閾値よりも細いと判断された場合には、前記第１設定ステップで設定した透過率で構成される前記第１取得ステップで取得した画像に、前記第３設定ステップで設定した線分幅の文書構成要素で構成される前記第２取得ステップで取得した文書を重ねて構成される記録画像を作成する。
【００１２】
請求項６記載の多機能周辺装置は、前記画像を格納する格納手段と、前記文書が記録されている記録媒体から前記文書を読み取る読取手段と、記録媒体に記録する記録手段とを備えたものであって、請求項１から５のいずれかに記載の記録画像作成プログラムを備え、前記第１取得ステップは前記格納手段に格納されている画像を取得し、前記第２取得ステップは前記読取手段で読み取った文書を取得し、前記作成ステップは、その作成した記録画像を前記記録手段によって記録媒体に記録する。
【発明の効果】
【００１３】
請求項１記載の記録画像作成プログラムによれば、第１ステップで取得した画像上に第２ステップで取得した文書を重ねて構成される記録画像が作成ステップによって作成される場合、その画像の透過率は、第１設定ステップで設定した透過率で構成される。また、文書を構成する文字、記号、符合、数字を例とする文書構成要素の線分幅は、第１設定ステップで設定した画像の透過率に応じて、第２設定ステップで設定される線分幅で構成される。よって、第１設定ステップで画像が視認し易いように設定された透過率では、文書が視認しにくい状況になったとしても、第２設定ステップで文書構成要素の線分幅を調節設定することで、文書をも視認し易くすることができる。従って、記録媒体上に重畳して記録される画像と文書との両方の視認性をバランス良く設定することができるという効果がある。
【００１４】
請求項２記載の記録画像作成プログラムによれば、請求項１に記載の記録画像作成プログラムの奏する効果に加え、第２設定ステップは、第１設定ステップで設定した透過率が所定の基準よりも高い程、文書構成要素の線分幅を太く設定する。よって、画像の透過率が低い場合に画像の透過率を高く設定し、画像の視認性を良好な状態にできたとしても、文書が視認し難くなる可能性があるが、文書構成要素の線分太さを太く設定することで、文書の視認性をも良好な状態に設定することができる。または、第２設定ステップは、第１設定ステップで設定した透過率が所定の基準よりも低い程、文書構成要素の線分幅を細く設定する。よって、画像の透過率が高い場合に画像の透過率を低く設定し、画像の視認性を良好な状態にできたとしても、文書が極端に目立ち、記録画像全体のバランスが崩れる可能性があるが、文書構成要素の線分太さを細く設定することで、記録画像全体のバランスを良好な状態に設定することができる。従って、記録媒体上に重畳して記録される画像と文書との両方の視認性をバランス良く設定することができるという効果がある。
【００１５】
請求項３記載の記録画像作成プログラムによれば、請求項２に記載の記録画像作成プログラムの奏する効果に加え、第２設定ステップは、第１設定ステップで設定した透過率が中域程度の所定範囲に含まれている場合、記録する文書構成要素の線分幅を第２取得ステップで取得した文書の当初幅に設定し、かかる透過率が中域程度の所定範囲よりも高い程、記録する文書構成要素の線分幅を当初幅よりも太く設定し、かかる透過率が中域程度の所定範囲よりも低い程、記録する文書構成要素の線分幅を当初幅よりも細く設定する。即ち、画像透過率の中域程度を基準に、文書構成要素の線分幅を設定するので、画像の視認性を良好な状態に設定しつつ、当初幅として指示されている文書構成要素の線分幅が大きく変化するのを抑制することができる。従って、当初の文書構成要素の線分幅から受ける印象を極力維持しつつ、記録媒体上に重畳して記録される画像と文書との両方の視認性をバランス良く設定することができるという効果がある。
【００１６】
請求項４記載の記録画像作成プログラムによれば、請求項３に記載の記録画像作成プログラムの奏する効果に加え、第２設定ステップは、文書構成要素の線分幅を当初幅よりも太く設定する場合、当初幅が太い程、文書構成要素の線分幅を太く設定し、文書構成要素の線分幅を当初幅よりも細く設定する場合、当初幅が太い程、文書構成要素の線分幅を細く設定する。よって、記録媒体上に重畳して記録される画像と文書との両方の視認性を一層バランス良く設定することができるという効果がある。
【００１７】
請求項５記載の記録画像作成プログラムによれば、請求項３又は４に記載の記録画像作成プログラムの奏する効果に加え、第２ステップで取得した文書の当初幅が判断手段によって所定の閾値よりも細いと判断された場合、作成ステップは記録画像における文書構成要素の線分幅を、第１設定ステップで設定した画像の透過率にかかわらず、第３設定ステップで設定した当初幅で構成する。よって、文書構成要素の幅が所定の閾値より細くなって、文書構成要素の各々が視認し難くなるのを抑制することができるという効果がある。
【００１８】
請求項６記載の多機能周辺装置によれば、請求項１から５のいずれかに記載の記録画像作成プログラムを備え、第１取得ステップは格納手段に格納されている画像を取得し、第２取得ステップは読取手段で読み取った文書を取得し、作成ステップは、その作成した記録画像を記録手段によって記録媒体に記録するので、請求項１から５のいずれかに記載の記録画像作成プログラムの奏する効果に加え、一つの装置で、画像の上に文書を重ねて構成される記録画像を、画像と文書との両方の視認性がバランス良くとれた状態で記録媒体上に記録することができるという効果がある。
【発明を実施するための最良の形態】
【００１９】
以下、本発明の好ましい実施形態について、添付図面を参照して説明する。図１は、本発明の一実施形態である複合機１０の外観斜視図である。この複合機１０には、後述する印刷処理プログラムが格納されており、この印刷処理プログラムにより、記録媒体の一例である記録用紙上に重畳して印刷される画像と文書との両方の視認性をバランス良く設定することができる装置である。
【００２０】
複合機１０は、通話機能、ファクシミリ機能、プリンタ機能、スキャナ機能、及び、コピー機能などの各種の機能を有し、主に、下部に設けられるプリンタ部１１と、上部に設けられるスキャナ部１２と、正面上部に設けられる操作パネル４０と、正面に設けられるスロット部４３とが設けられている。
【００２１】
プリンタ部１１は、正面に開口１３が形成されており、この開口１３から一部が露呈するようにして給紙トレイ２０及び排紙トレイ２１が上下２段に設けられている。給紙トレイ２０は、記録用紙を積載するためのものである。この給紙トレイ２０に積載された記録用紙は、プリンタ部１１の内部へ給送され、所望の画像が印刷された後に排紙トレイ２１へ排出されるようになっている。
【００２２】
スキャナ部１２は、いわゆるフラットベッドスキャナとして構成されている。原稿カバー３０は、複合機１０の天板として設けられており、その原稿カバー３０の下には、図示しないプラテンガラスが配置されている。原稿は、プラテンガラス上に載置され、原稿カバー３０に覆われた状態でスキャナ部１２に読み取られる。例えば、原稿に、文字、記号、符合、数字を例とする文書構成要素の集合として構成されている文書が記載されている場合には、この文書がスキャナ部１２によって読み取られる。
【００２３】
操作パネル４０は、プリンタ部１１やスキャナ部１２を操作するためのものであって、各種操作ボタンや液晶表示部が設けられている。ユーザは、操作パネル４０を操作することで、各種機能の設定や動作を実行することができる。例えば、ファクシミリ機能、プリンタ機能、スキャナ機能、及び、コピー機能などの各種機能の選択や、記録用紙の種類（普通紙又は葉書）の設定や、片面印刷モードの設定、両面印刷モードの設定等を、操作パネル４０を介して指示することができる。
【００２４】
また、特に、本実施形態では、コピー機能の一部としてＷａｔｅｒＭａｒｋ機能が搭載されている。ＷａｔｅｒＭａｒｋ機能は、後述する小型メモリカードに格納されている画像や、スキャナ部１２で原稿から読み取った画像や、内部メモリに予め記憶されている所定の画像をＷａｔｅｒＭａｒｋとして、このＷａｔｅｒＭａｒｋに、スキャナ部１２で原稿から読み取った文書を重畳させた印刷画像を記録用紙に印刷する機能である。そして、このＷａｔｅｒＭａｒｋ機能を実行する場合のユーザからの指示が、この操作パネル４０を介して入力される。
【００２５】
スロット部４３は、記憶媒体である各種小型メモリカードが装填され得るように構成されている。例えば、スロット部４３に小型メモリカードが装填された状態でユーザーが操作パネル４０の操作を行うことにより、小型メモリカードに記憶された画像データを読み出し、その読み出した画像データを液晶表示部に表示したり、記録用紙に印刷することができる。
【００２６】
次に、図２を参照して、プリンタ部１１の構成について略述する。図２は、プリンタ部１１の構造を示す縦断面図である。プリンタ部１１には、給紙トレイ２０の上側に配置されている給紙ローラ２５と、給紙トレイ２０の一端側から立設する分離傾斜壁２２と、分離傾斜壁２２から連続して延び、Ｕ字状の経路を形成する搬送路２３と、搬送路２３の一端側に配置されている搬送ローラ６０と、搬送ローラ６０から搬送される記録用紙を支持するプラテン４２と、プラテン４２と対向配置されキャリッジ３８に搭載されている記録ヘッド３９と、記録ヘッド３９を搬送ローラ６０との間に挟んで配置される排紙ローラ６２と、排紙ローラ６２から搬送される記録用紙を挟持する第１ローラ４５および第２ローラ４６と、第２ローラ４６を一端側に軸支して、上流側に延び、第１ローラ４５の回転中心を中心に回動可能な経路切換アーム４１と、経路切換アーム４１の他端側から給紙ローラ２５に向かって延びる裏面用経路１６とによって構成されている。
【００２７】
このプリンタ部１１で、記録用紙の片面（表面）に画像を印刷する場合には、給紙トレイ２０に積載されている記録用紙が給紙ローラ２５によって分離傾斜壁２２に向けて給紙され、引続き、搬送路２３に沿って下流側に搬送される。そして、搬送ローラ６０によって、プラテン４２と記録ヘッド３９との間に搬送され、その間に記録ヘッド３９から記録用紙の片面（表面）にインクが吐出され、記録用紙の片面（表面）に画像が印刷される。片面（表面）に画像が印刷された記録用紙は、排紙ローラ６２と、第１ローラ４５および第２ローラ４６とによって下流側に搬送され、排紙トレイ２１に排紙される。
【００２８】
一方、記録用紙の両面（表裏面）に画像を印刷する場合には、上述したのと同様に片面（表面）に画像が印刷され、片面（表面）に画像が印刷された記録用紙の一端側が排紙ローラ６２の下流側に位置する用紙ガイド面３２に支持され、他端側が第１ローラ４５および第２ローラ４６によって挟持されている状態で、一旦停止される。
【００２９】
そして、この状態において、経路切換アーム４１を図２に示す状態から第１ローラ４５の回転中心を中心に反時計回りに回動させ、経路切換アーム４１で記録用紙を押し下げる。これにより、記録用紙は、用紙ガイド面３２に支持されている方の先端部から裏面用経路１６に進入する。そして、第１ローラ４５および第２ローラ４６を逆転駆動すると、記録用紙は裏面用経路１６内を搬送され、表面が給紙ローラ２５に当接する。その後は、片面印刷の場合と同様に、再び、給紙ローラ２５によって給紙され、記録ヘッド３９によって裏面に画像が印刷された後で、排紙トレイ２１に排紙される。
【００３０】
次に、図３を参照して、複合機１０の制御部８４の構成について説明する。図３は、複合機１０の制御部８４の構成を示すブロック図である。制御部８４は、プリンタ部１１のみでなくスキャナ部１２も含む複合機１０の全体動作を制御するものであるが、スキャナ部１２についての詳細な説明は省略する。
【００３１】
制御部８４は、図に示すように、ＣＰＵ（Ｃｅｎｔｒａｌ  Ｐｒｏｃｅｓｓｉｎｇ  Ｕｎｉｔ）８８、ＲＯＭ（Ｒｅａｄ  Ｏｎｌｙ  Ｍｅｍｏｒｙ）８９、ＲＡＭ（Ｒａｎｄｏｍ  Ａｃｃｅｓｓ  Ｍｅｍｏｒｙ）９０、電源オフ後も保持すべき設定やフラグ等が格納されるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）９１を主とするマイクロコンピュータとして構成されており、バス９２を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）９３に接続されている。
【００３２】
ＲＯＭ８９には、複合機１０の各種動作を制御するためのプログラム等が格納されている。例えば、図５に示す印刷処理を複合機１０に実行させる印刷処理プログラム８９ａが格納されている。
【００３３】
ＲＡＭ９０は、ＣＰＵ８８が上記プログラムを実行する際に用いる各種データを一時的に記憶する記憶領域又は作業領域として使用される。ＲＡＭ９０には、画像データメモリ９０ａ、文書データメモリ９０ｂ、印刷画像データメモリ９０ｃ、透過率メモリ９０ｄ、線分太さメモリ９０ｅ、ポインタ９０ｆの各領域が割り当てられている。
【００３４】
画像データメモリ９０ａは、コピー機能の一部に含まれているＷａｔｅｒＭａｒｋ機能を使用する場合に、ＷａｔｅｒＭａｒｋとして記録用紙に印刷する画像のデータを一時的に記憶する領域である。文書データメモリ９０ｂは、ＷａｔｅｒＭａｒｋとしての画像と重畳して記録用紙に印刷する文書のデータを一時的に記憶する領域である。印刷画像データメモリ９０ｃは、ＷａｔｅｒＭａｒｋ機能によって記録用紙に印刷する印刷画像のデータを一時的に記憶する領域である。
【００３５】
透過率メモリ９０ｄは、ＷａｔｅｒＭａｒｋとして記録用紙に印刷する画像の透過率を一時的に記憶する領域である。線分太さメモリ９０ｅは、ＷａｔｅｒＭａｒｋとしての画像と重畳して記録用紙に印刷する文書を構成する文書構成要素（例えば、文字、記号、符合、数字）の当初の線分太さを一時的に記憶する領域である。ポインタ９０ｆは、透過率メモリ９０ｄに記憶されている画像の透過率が示すアドレスを、後述する線分太さ設定テーブル（図４参照）において指し示すものである。
【００３６】
ＥＥＰＲＯＭ９１は、書き換え可能な不揮発性のメモリであり、線分太さ設定メモリ９１ａが割り当てられている。この線分太さ設定メモリ９１ａには、図４に示す線分太さ設定テーブルが格納されている。図４は、この線分太さ設定テーブルの構成を模式的に示す図である。
【００３７】
図４に示すように、線分太さ設定テーブルは、ＷａｔｅｒＭａｒｋ機能によって記録用紙に印刷される印刷画像に関し、その印刷画像に含まれる画像の透過率に応じて設定される文書構成要素の線分太さを設定するためのテーブルであり、「透過率」欄と、「透過率」欄に応じた「線分太さ」欄とが設けられている。
【００３８】
「透過率」欄は、ＷａｔｅｒＭａｒｋとして印刷される画像の透過率を示し、０％〜１００％までを１０％毎にグループ化して区画されており、そのパーセンテージが高い程、画像の濃度が濃く、そのパーセンテージが低い程、画像の濃度が薄いことを示している。
【００３９】
「線分太さ」欄は、記録用紙に印刷される文書構成要素の線分太さを示し、「線分太さ」欄は、更に「１０ドット以上３０ドット以下」欄と、「３１ドット以上」欄とに区画されている。そして、この「１０ドット以上３０ドット以下」欄と、「３１ドット以上」欄との各々には、ＷａｔｅｒＭａｒｋとして印刷される画像の透過率に応じて設定される文書構成要素の線分太さの設定条件が記憶されている。
【００４０】
この設定条件は、画像の透過率「４０％〜５０％」と、当初の文書構成要素の線分太さとを基準として、画像の透過率が、「４０％〜５０％」に設定された場合には、文書構成要素の線分太さを当初太さから変化させないとしている。そして、かかる基準となる画像の透過率「４０％〜５０％」よりも画像の透過率が高い程（濃度が濃い程）、記録用紙に印刷する文書構成要素の線分太さが当初よりも太くなるように設定されている。逆に、基準となる画像の透過率「４０％〜５０％」よりも画像の透過率が低い程（濃度が薄い程）、記録用紙に印刷する文書構成要素の線分太さが当初よりも細くなるように設定されている。
【００４１】
具体的には、この線分太さ設定テーブルによれば、記録用紙に印刷される文書構成要素の線分太さは、設定される画像の透過率に応じて、例えば、次のように設定される。
【００４２】
画像の透過率が「９０％〜１００％」に設定された場合には、当初の文書構成要素の線分太さが「１０ドット以上３０ドット以下」であるか、又は、「３１ドット以上」であるかに応じて、「１０ドット以上３０ドット以下」であれば、当初の文書構成要素の線分太さから「外側に５ドット増加」、「３１ドット以上」であれば、当初の文書構成要素の線分太さから「両サイド５ドットずつ、合計１０ドット増加」するように記録用紙に印刷される文書構成要素の線分太さが設定される。
【００４３】
即ち、画像の透過率が基準範囲（４０％〜５０％）よりも高い程（濃度が濃い程）、当初の文書構成要素の線分太さよりも記録用紙に印刷する際の線分太さが太くなるように設定され、更に、当初の文書構成要素の線分太さが太い程、線分太さが太くなるように設定される。
【００４４】
また、画像の透過率が「４０％〜５０％」に設定された場合には、文書構成要素の当初の線分太さが、そのまま設定される。即ち、画像の透過率が「４０％〜５０％」という中域程度の範囲内に設定された場合には、当初の文書構成要素の線分太さのまま（当初太さから変化なし）で、記録用紙に文書が印刷される。
【００４５】
更に、画像の透過率が「０％〜１０％」に設定された場合には、当初の文書構成要素の線分太さが「１０ドット以上３０ドット以下」であるか、又は、「３１ドット以上」であるかに応じて、「１０ドット以上３０ドット以下」であれば、当初の文書構成要素の線分太さから「外側に４ドット減少」、「３１ドット以上」であれば、当初の文書構成要素の線分太さから「両サイド４ドットずつ、合計８ドット減少」するように記録用紙に印刷される文書構成要素の線分太さが設定される。
【００４６】
即ち、画像の透過率が基準範囲（４０％〜５０％）よりも低い程（濃度が薄い程）、当初の文書構成要素の線分太さよりも記録用紙に印刷する線分太さが細くなるように設定され、更に、当初の文書構成要素の線分太さが太い程、線分太さが細くなるように設定される。
【００４７】
ＡＳＩＣ９３は、ＣＰＵ８８からの指令に従い、ＬＦモータ７１に通電する相励磁信号等を生成して、該信号をＬＦモータ７１の駆動回路９４に付与し、該駆動回路９４を介して駆動信号をＬＦモータ７１に通電することにより、ＬＦモータ７１の回転制御を行っている。
【００４８】
駆動回路９４は、給紙ローラ２５、搬送ローラ６０、排紙ローラ６２、第１ローラ４５などに接続されたＬＦモータ７１を駆動させるものであり、ＡＳＩＣ９３からの出力信号を受けて、ＬＦモータ７１を回転するための電気信号を生成する。該電気信号を受けてＬＦモータ７１が回転し、該ＬＦモータ７１の回転力がギアや駆動軸等からなる周知の駆動機構を介して、給紙ローラ２５、搬送ローラ６０、排紙ローラ６２、第１ローラ４５へ伝達される。
【００４９】
この複合機１０では、ＬＦモータ７１は、給紙トレイ２０からの記録用紙の給紙のための駆動源となっており、また、プラテン４２上に位置する記録用紙の搬送や印刷済みの記録用紙を排紙トレイ２１へ排出するための駆動源となっており、更には、所定の動力伝達機構を介して排紙ローラ６２を駆動する駆動源にもなっている。
【００５０】
即ち、ＬＦモータ７１は、搬送ローラ６０と、駆動伝達機構２７を介して給紙ローラ２５と、所定の動力伝達機構を介して排紙ローラ６２とを駆動する。なお、所定の動力伝達機構は、例えば歯車列により構成してもよいし、組付スペースの関係上、タイミングベルト等を使用してもよい。
【００５１】
また、ＡＳＩＣ９３は、ＣＰＵ８８からの指令に従い、ＣＲ（キャリッジ）モータ９５に通電する相励磁信号等を生成して、該信号をＣＲモータ９５の駆動回路９６に付与し、該駆動回路９６を介して駆動信号をＣＲモータ９５に通電することにより、ＣＲモータ９５の回転制御を行っている。
【００５２】
駆動回路９６は、上記キャリッジ３８に接続されたＣＲモータ９５を駆動させるものであり、ＡＳＩＣ９３からの出力信号を受けて、ＣＲモータ９５を回転するための電気信号を生成する。該電気信号を受けてＣＲモータ９５が回転し、該ＣＲモータ９５の回転力がキャリッジ３８へ伝達されことによりキャリッジ３８が往復動される。
【００５３】
駆動回路９７は、記録ヘッド３９から所定のタイミングでインクを記録用紙に対して選択的に吐出させるものであり、ＣＰＵ８８から出力される駆動制御手順に基づいてＡＳＩＣ９３において生成された出力信号を受け、記録ヘッド３９を駆動制御する。
【００５４】
ＡＳＩＣ９３には、スキャナ部１２や、複合機１０の操作指示を行うための操作パネル４０、各種小型メモリカードが挿入されるスロット部４３、パソコン等の外部機器とパラレルケーブルやＵＳＢケーブルを介してデータの送受信を行うためのパラレルインタフェース（Ｉ／Ｆ）９８及びＵＳＢインタフェース（Ｉ／Ｆ）９９、ファクシミリ機能を実現するためのＮＣＵ（Ｎｅｔｗｏｒｋ  Ｃｏｎｔｒｏｌ  Ｕｎｉｔ）１００やモデム（ＭＯＤＥＭ）１０１が接続されている。
【００５５】
その他、ＡＳＩＣ９３には、給紙ローラ２５から搬送ローラ６０近傍に記録用紙が搬送されたことを検出するレジセンサ１０２、ＬＦモータ７１により駆動された各ローラの回転量を検出するロータリエンコーダ８７、キャリッジ３８の移動量を検出するためのリニアエンコーダ８５、プラテン４２上の記録用紙の存在の有無を検出するメディアセンサ８６が接続されている。
【００５６】
ここで、複合機１０の制御部８４で行われる処理を簡単に説明する。複合機１０の電源がオンされると、キャリッジ３８は、一旦そのスライド端まで移動され、リニアエンコーダ８５による検出位置が初期化される。キャリッジ３８が初期位置からスライド移動すると、キャリッジ３８に設けられた光学センサ１０７がエンコーダストリップのパターンを検出する。
【００５７】
制御部８４は、光学センサ１０７の検出に基づくパルス信号数によって、キャリッジ３８の移動量を把握し、この移動量に基づいてキャリッジ３８の往復動を制御すべく、ＣＲモータ９５の回転を制御する。また、制御部８４は、レジセンサ１０２の出力信号及びロータリーエンコーダ８７が検出するエンコーダ量に基づいて記録用紙の先端又は後端の位置並びに記録用紙の搬送量を把握する。
【００５８】
制御部８４は、記録用紙の先端がプラテン４２の所定の位置に到達すると、記録用紙を所定の改行幅ごとに間欠搬送すべくＬＦモータ７１の回転を制御する。この改行幅は、印刷条件として入力された解像度等に基づいて設定される。特に高解像度印刷、具体的には、縁無し写真印刷が行われる場合においては、メディアセンサ８６による記録用紙の存在の検出と、ロータリーエンコーダ８７が検出するエンコーダ量とに基づいて、制御部８４が記録用紙の先端、後端を正確に検知する。
【００５９】
さらに、メディアセンサ８６による記録用紙の存在の検出と、リニアエンコーダ８５が検出するエンコーダ量とに基づいて、制御部８４が記録用紙の両端の位置を正確に検知する。そして、このようにして検知された記録用紙の先端、後端及び両端の位置に基づいて、制御部８４は、インクジェット記録ヘッド３９によるインク滴の吐出を制御する。
【００６０】
次に、図５を参照して、印刷処理について説明する。図５は、印刷処理を示すフローチャートであり、印刷処理プログラム８９ａに従ってＣＰＵ８８によって実行される処理である。この印刷処理は、ユーザによる操作パネル４０の操作を介して、ファクシミリ機能、プリンタ機能、スキャナ機能、及び、コピー機能などの各種機能から、コピー機能が選択された場合に実行される処理であり、特に、記録用紙上に重畳して印刷される画像と文書との両方の視認性をバランス良く設定することができる処理である。
【００６１】
この処理では、まず、ＷａｔｅｒＭａｒｋコピーが選択されたかを判断する（Ｓ１）。本実施形態では、ユーザによってコピー機能が選択されると、液晶表示部には、ＷａｔｅｒＭａｒｋコピー、通常コピー、両面コピー等のコピー種別を選択する要求が表示され、その中からＷａｔｅｒＭａｒｋコピーが選択されたかを判断する。ＷａｔｅｒＭａｒｋコピーが選択されない場合には（Ｓ１：Ｎｏ）、本処理は終了する。
【００６２】
一方、ＷａｔｅｒＭａｒｋコピーが選択されると（Ｓ１：Ｙｅｓ）、ＭＥＤＩＡ画像を用いたＷａｔｅｒＭａｒｋかを判断する（Ｓ２）。本実施形態では、ユーザによってＷａｔｅｒＭａｒｋコピーが選択されると、液晶表示部には、ＷａｔｅｒＭａｒｋとして使用する画像を、ＭＥＤＩＡ画像、または、スキャン画から取得するかを選択する要求が表示され、その中からＭＥＤＩＡ画像が選択されたかを判断する。
【００６３】
そして、ＭＥＤＩＡ画像が選択されると（Ｓ２：Ｙｅｓ）、スロット部４３に装着されているメモリカードから、そのメモリカードに格納されている画像をＷａｔｅｒＭａｒｋ候補として液晶表示部に表示する（Ｓ３）。
【００６４】
そして、その液晶表示部に表示されているＷａｔｅｒＭａｒｋ候補の中から所定の画像が選択されるまで待機し（Ｓ４：Ｎｏ）、所定の画像が選択されると（Ｓ４：Ｙｅｓ）、その選択されたＭＥＤＩＡ画像を画像データメモリ９０ａに記憶する（Ｓ５）。
【００６５】
そして、スキャナ部１２を起動し、スキャナ部１２によってプラテンガラス上に載置されている文書原稿に記載されている文書を読み取り（Ｓ６）、その読み取った文書を文書データメモリ９０ｂに記憶する（Ｓ７）。ここまでの処理によって、ＷａｔｅｒＭａｒｋとして記録する画像の画像データと、その画像上に重畳して記録される文書の文書データとが取得されるのである。
【００６６】
そして、このＳ５で取得した画像に、Ｓ７で取得した文書を重畳して構成される印刷画像を作成するために、まず、各種設定処理を行う（Ｓ８）。この各種設定処理では、文書に対する画像の位置、角度を設定する。例えば、画像を方向キーで操作して文書に対する画像の位置を設定すると共に、角度を指定可能な表示を液晶表示部に表示し、その入力から画像の角度を設定する。尚、この各種設定処理において設定された情報は、ＲＡＭ９０の所定領域に記憶される。
【００６７】
各種設定処理を終了すると（Ｓ８）、次に、画像の透過率を設定する透過率設定処理を行う（Ｓ９）。透過率設定処理は、例えば、画像の透過率を０％から１００％までの何れかのパーセンテージを選択可能な表示を液晶表示部に表示し、その表示を介して入力される画像の透過率に設定する。また、設定された透過率の画像を、液晶表示部に表示し、設定した透過率の視認性を確認可能に構成されている。尚、設定された透過率は透過率メモリ９０ｄに記憶される。
【００６８】
ここで、ここまでの処理を、図７（ａ）、（ｂ）を参照して説明する。図７（ａ）は、透過率Ｎ１の画像Ｇ上に、線分太さＴ１の文字Ｍ（文書を構成する「ブラザー」という片仮名文字）が重畳した印刷画像Ｋが印刷された記録用紙Ｐを示している。図７（ｂ）は、透過率Ｎ１から透過率Ｎ２に変更した画像Ｇ上に、線分太さＴ１の文字Ｍが重畳した印刷画像Ｋが印刷された記録用紙Ｐを示しいる。
【００６９】
即ち、Ｓ５で取得した画像を画像Ｇ、Ｓ７で取得した文書を文字Ｍとして、Ｓ８の各種設定処理では、記録用紙Ｐの範囲内において、画像Ｇを文字Ｍに対してどの位置に、どの角度で配置するかを設定する。そして、例えば、図７（ａ）に示す位置、角度に設定した場合には、次に、Ｓ９の透過率設定処理において、図７（ａ）に示す画像Ｇの透過率Ｎ１では、透過率が低く（濃度が薄く）、画像Ｇが視認し難いとして、画像Ｇの透過率Ｎ１を、図７（ｂ）に示すように、透過率Ｎ１よりも高い透過率Ｎ２に設定する。
【００７０】
このように、画像Ｇの透過率が低い（濃度が薄い）場合には、透過率設定処理により画像Ｇの透過率を高く（濃度を濃く）設定するこで、画像Ｇを視認し易くすることができるのである。
【００７１】
次に、上述した別の例を、図８（ａ）、（ｂ）を参照して説明する。図８（ａ）は、透過率Ｎ３の画像Ｇ上に、線分太さＴ３の文字Ｍ（文書を構成する「ブラザー」という片仮名文字）が重畳した印刷画像Ｋが印刷された記録用紙Ｐを示している。図８（ｂ）は、透過率Ｎ３から透過率Ｎ２に変更した画像Ｇ上に、線分太さＴ３の文字Ｍが重畳した印刷画像Ｋが印刷された記録用紙Ｐを示しいる。
【００７２】
上述したのと同様に、Ｓ８の各種設定処理では、記録用紙Ｐの範囲内において、画像Ｇを文字Ｍに対してどの位置に、どの角度で配置するかを設定する。そして、例えば、図８（ａ）に示す位置、角度に設定した場合には、次に、Ｓ９の透過率設定処理において、図８（ａ）に示す画像Ｇの透過率Ｎ３では、透過率が高く（濃度が濃く）、画像Ｇが視認し難いとして、画像Ｇの透過率Ｎ３を、図８（ｂ）に示すように、透過率Ｎ３よりも低い透過率Ｎ２に設定する。  このように、画像Ｇの透過率が高い（濃度が濃い）場合には、透過率設定処理により画像Ｇの透過率を低く（濃度を薄く）設定するこで、画像Ｇを視認し易くすることができるのである。
【００７３】
再び、図５に戻り、説明を続ける。こうして、Ｓ９で透過率設定処理で画像の透過率を設定すると、次に、線分太さ設定処理を実行する（Ｓ１０）。この線分太さ設定処理は（Ｓ１０）、記録用紙に記録する文書構成要素の線分太さを、Ｓ９で設定した画像の透過率に応じて設定する処理である。
【００７４】
ここで、この線分太さ設定処理（Ｓ１０）を図６のフローチャートを参照して説明する。図６は、線分太さ設定処理を示すフローチャートである。
【００７５】
この線分太さ設定処理では、まず、文書データメモリ９０ｂに記憶されている文書データから、その文書を構成する各文書構成要素（例えば、文字、記号、符合、数字）の線分太さを検出する（Ｓ３０）。そして、その検出した線分太さを当初線分太さとして線分太さメモリ９０ｅに記憶する（Ｓ３１）。
【００７６】
そして、その当初線分太さ（線分幅）が１０ドット以上かを判断する（Ｓ３２）。その結果、当初線分太さが１０ドット以上である場合には（Ｓ３２：Ｙｅｓ）、Ｓ９で設定した透過率メモリ９０ｄに記憶されている透過率を読み出し（Ｓ３３）、その読み出した透過率が、線分太さ設定メモリ９１ａに記憶されている線分太さ設定テーブル（図４参照）のグループ（「透過率」欄）のうち、どのグループに属するかを検出し、その属するグループのアドレスにポインタ９０ｆを設定する（Ｓ３４）。
【００７７】
次に、線分太さメモリ９０ｅに記憶されている当初線分太さが３０ドット以下かを判断し（Ｓ３５）、３０ドット以下であれば（Ｓ３５：Ｙｅｓ）、線分太さ設定テーブル（図４参照）において、「線分太さが１０ドット以上３０ドット以下」として設定されている条件に、線分太さを設定する（Ｓ３６）。
【００７８】
一方、線分太さメモリ９０ｅに記憶されている当初線分太さが３０ドット以下でなければ、３１ドット以上であるとして（Ｓ３５：Ｎｏ）、線分太さ設定テーブル（図４参照）において、「線分太さが３１ドット以上」として設定されている条件に、線分太さを設定する（Ｓ３７）。
【００７９】
尚、Ｓ３２の処理において、当初線分太さが１０ドット以上でない、９ドット以下であると判断した場合には（Ｓ３２：Ｎｏ）、印刷する線分太さを当初線分太さとして設定する（Ｓ３８）。こうして、Ｓ３６，３７，３８によって記録用紙に印刷する線分太さが設定され、本処理を終了する。
【００８０】
ここで、図４，図７を参照して、上述した線分太さ設定処理において、当初線分太さよりも、印刷する線分太さを太く設定する場合について説明する。上述した通り、図７（ｂ）は、図５に示すＳ９の透過率設定処理において、図７（ａ）に示す画像Ｇの透過率Ｎ１では、その濃度が薄く、画像Ｇが視認し難いとして、画像Ｇの透過率Ｎ１を、透過率Ｎ１よりも高い（濃度が濃い）透過率Ｎ２に設定されている。
【００８１】
具体的には、図７（ａ）に示す状態では、画像Ｇの透過率Ｎ１は２５％、線分太さＴ１は１５ドット、そして、図７（ｂ）に示すように、透過率設定処理において、画像Ｇの透過率Ｎ２を７５％に設定したとする。
【００８２】
この場合、図６のＳ３０では線分太さＴ１が１５ドットとして検出され、図６のＳ３４ではポインタ９０ｆは、線分太さ設定テーブル（図４参照）において、透過率７０％〜８０％を指し示す。そして、この線分太さ（１５ドット）は、１０ドット以上３０ドット以下なので、図６のＳ３６では、線分太さ設定テーブル（図４参照）から、「外側３ドット増加」の設定条件（横方向に延びる線分であれば上側に３ドット増加、縦方向に延びる線分であれば右側に３ドット増加）を取得する。よって、この設定条件に基づき、図７（ｃ）に示すように、文字Ｍの線分太さＴ１を２０ドットから、線分太さＴ２である２３ドットになるように設定する。
【００８３】
尚、仮に、図７（ａ）、（ｂ）に示す文字Ｍの線分太さＴ１が３１ドット以上であった場合には、図６のＳ３７では、該当する線分太さ設定テーブル（図４参照）から、「両サイド３ドットずつ、合計６ドット増加」の設定条件（横方向に延びる線分であれば上下側に３ドットずつ増加、縦方向に延びる線分であれば左右側に３ドットずつ増加）を取得する。よって、この設定条件に基づき、文字Ｍの線分太さＴ１を２０ドットから、線分太さＴ２である２６ドットになるように設定する。
【００８４】
次に、図４，図８を参照して、上述した線分太さ設定処理において、当初線分太さよりも、印刷する線分太さを細く設定する場合について説明する。上述した通り、図８（ｂ）は、図５に示すＳ９の透過率設定処理において、図８（ａ）に示す画像Ｇの透過率Ｎ３では、その濃度が濃く、画像Ｇが視認し難いとして、画像Ｇの透過率Ｎ３を、透過率Ｎ３よりも低い（濃度が薄い）透過率Ｎ２に設定されている。
【００８５】
具体的には、図８（ａ）に示す状態では、画像Ｇの透過率Ｎ１は７５％、線分太さＴ１は３６ドット、そして、図８（ｂ）に示すように、透過率設定処理において、画像Ｇの透過率Ｎ２を１５％に設定したとする。
【００８６】
この場合、図６のＳ３０では線分太さＴ１が３６ドットとして検出され、図６のＳ３４ではポインタ９０ｆは、線分太さ設定テーブル（図４参照）において、透過率７０％〜８０％を指し示す。そして、この線分太さ（３６ドット）は、３１ドット以上なので、図６のＳ３７では、線分太さ設定テーブル（図４参照）から、「両サイド３ドットずつ、合計６ドット減少」の設定条件（横方向に延びる線分であれば上下側に３ドットずつ減少、縦方向に延びる線分であれば左右側に３ドットずつ減少）を取得する。よって、この設定条件に基づき、文字Ｍの線分太さＴ３を３６ドットから、線分太さＴ２である３０ドットになるように設定する。
【００８７】
尚、仮に、線分太さＴ３が１０ドット以上３０ドット以下であった場合には、図６のＳ３６では、「外側３ドット減少」の設定条件（横方向に延びる線分であれば上側に３ドット減少、縦方向に延びる線分であれば右側に３ドット減少）を取得する。よって、この設定条件に基づき、図８（ｃ）に示すように、文字Ｍの線分太さＴ３を３６ドットから、線分太さＴ２である３３ドットになるように設定する。
【００８８】
尚、設定された画像の透過率が４０％〜５０％の場合には、線分太さ設定テーブル（図４参照）に示すように、当初の線分太さが１０ドット以上３０ドット以下であっても、３１ドット以上であっても、印刷する線分太さは、当初の線分太さのまま設定する。また、図６のＳ３８のように、「当初の線分太さが９ドット以下である」という当初の線分太さが細い場合にも、線分太さを変更することなく設定する。
【００８９】
再び、図５に戻り、説明を続ける。こうして、Ｓ１０によって文書構成要素の線分太さを設定すると、Ｓ８乃至Ｓ１０で設定した設定内容に基づいて、記録用紙に印刷する印刷画像のデータを作成する（Ｓ１１）。
【００９０】
そして、その作成した作成データに基づいて印刷画像に対応する画像を、液晶表示部に表示し（Ｓ１２）、ユーザから操作パネル４０を介して「印刷ＯＫ」の入力がされたかを判断し（Ｓ１３）、「印刷ＯＫ」の入力がない場合には（Ｓ１３：Ｎｏ）、Ｓ８からの処理を繰り返すし、「印刷ＯＫ」の入力があった場合には（Ｓ１３：Ｙｅｓ）、印刷を開始し（Ｓ１４）、本処理を終了する。
【００９１】
このように、図５の各種設定処理（Ｓ８）だけをした場合には、図７（ａ）に示す印刷画像が作成され、画像Ｇを所望の位置、角度に配置することができるが、画像Ｇの濃度が薄く視認し難い。そこで、図５の透過率設定処理（Ｓ９）を実行し、画像Ｇの透過率を高く（濃度を濃く）設定することで、図７（ｂ）に示すように、画像Ｇの視認性を向上させることができるが、文字Ｍが視認し難くなる。そこで、更に、図５，６の線分太さ設定処理（Ｓ１０）によって文字Ｍの線分太さＴ１が、太くなるように設定することで、文字Ｍの視認性が向上し、図７（ｃ）に示すように、記録用紙Ｐ上に重畳して記録される画像Ｇと文字Ｍ（文書）との両方の視認性をバランス良く設定することができる。
【００９２】
また、同様に、図５の各種設定処理（Ｓ８）だけをした場合には、図８（ａ）に示す印刷画像が作成され、画像Ｇを所望の位置、角度に配置することができるが、画像Ｇの濃度が濃く視認し難い。そこで、図５の透過率設定処理（Ｓ９）を実行し、画像Ｇの透過率を低く（濃度を薄く）設定することで、図８（ｂ）に示すように、画像Ｇの視認性を向上させることができるが、文字Ｍが極端に目立ち印刷画像Ｋ全体のバランスを欠くことになる。そこで、更に、図５，６の線分太さ設定処理（Ｓ１０）によって文字Ｍの線分太さＴ３が、細くなるように設定することで、印刷画像Ｋ全体のバランスが向上し、図８（ｃ）に示すように、記録用紙Ｐ上に重畳して記録される画像Ｇと文字Ｍ（文書）との両方の視認性をバランス良く設定することができる。
【００９３】
また、図５，６の線分太さ設定処理（Ｓ１０）では、画像の透過率の中域程度の所定範囲（４０％〜５０％）を基準とし、図５の透過率設定処理（Ｓ９）で設定した画像の透過率が、この基準範囲内であれば、印刷する文書構成要素の線分太さを、当初の太さに設定し、図５の透過率設定処理（Ｓ９）で設定した画像の透過率が基準範囲よりも高い程、印刷する文書構成要素の線分太さを当初太さよりも太く設定し、図５の透過率設定処理（Ｓ９）で設定した画像の透過率が基準範囲よりも低い程、印刷する文書構成要素の線分太さを当初太さよりも細く設定する。よって、画像の視認性を良好な状態に設定しつつ、文書構成要素の線分太さが当初から大きく変化するのを抑制することができる。従って、当初の文書構成要素の線分太さから受ける印象を極力維持しつつ、記録用紙に重畳して記録される画像と文書との両方の視認性をバランス良く設定することができる。
【００９４】
尚、Ｓ２の処理において、ＭＥＤＩＡ画像が選択されない場合には（Ｓ２：Ｎｏ）、スキャン画像を用いたＷａｔｅｒＭａｒｋかを判断する（Ｓ１５）。その結果、スキャン画像を用いたＷａｔｅｒＭａｒｋが選択された場合には（Ｓ１５：Ｙｅｓ）、ＷａｔｅｒＭａｒｋとして印刷する画像が記載された画像原稿をセットするように要求する表示を液晶表示部に表示する（Ｓ１６）。
【００９５】
そして、スキャナ部１２を起動し、プラテンガラスに設置されている画像原稿から画像を読み取り（Ｓ１７）、その読み取った画像を画像データメモリ９０ａに記憶する（Ｓ１８）。そして、上述したのと同様に透過率設定処理を実行し（Ｓ１９）、読み取った画像の透過率を設定する。
【００９６】
その後、画像原稿を、文書が記載された文書原稿に差し替えてセットするように要求する表示を液晶表示部に表示し（Ｓ２０）、スキャナ部１２を起動し、文書原稿に記載されている文書を読み取り（Ｓ２１）、その読み取った文書を文書データメモリ９０ｂに記憶する（Ｓ２２）。こうして、ＷａｔｅｒＭａｒｋとして印刷する画像の画像データと、その画像上に重畳して印刷する文書の文書データとが取得される。そして、その取得した画像データと、文書データとに基づいて印刷画像を作成し（Ｓ２３）、その印刷画像に基づく印刷を開始し（Ｓ１４）、本処理を終了する。
【００９７】
また、Ｓ１５の処理でスキャン画像を用いたＷａｔｅｒＭａｒｋでない場合には（Ｓ１５：Ｎｏ）、予め用意されている内部メモリに記憶されている画像をＷａｔｅｒＭａｒｋとして記録する指示であるとして、スキャナ部１２を起動し、文書原稿に記載されている文書を読み取り（Ｓ２４）、その読み取った文書を文書データメモリ９０ｂに記憶する（Ｓ２５）。そして、その文書に対し、予め内部メモリに記憶されている画像の印刷位置を設定する上述したのと同様の各種設定処理を実行し（Ｓ２６）、その各種設定処理によって設定された設定条件に基づいて、印刷画像を作成し（Ｓ２７）、その印刷画像に基づく印刷を開始し（Ｓ１４）、本処理を終了する。
【００９８】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９９】
本実施形態では、印刷処理プログラム８９ａを搭載した複合機１０について説明したが、例えば、この印刷処理プログラム８９ａをパーソナルコンピュータに搭載し、この印刷処理プログラム８９ａで作成した画像と文書とが重畳した印刷画像を、パーソナルコンピュータに接続された印刷可能な印刷装置に印刷させるように構成しても良い。
【０１００】
また、本実施形態では、図５の透過率設定処理（Ｓ９）で設定された画像の透過率に応じて、文書構成要素の線分太さを設定する場合について説明したが、例えば、文書構成要素の線分太さは、解像度、記録用紙の種類（普通紙、葉書、光沢紙）に応じて変化するので、画像の透過率に加え、解像度、記録用紙の種類に応じて、設定する文書構成要素の線分太さの割合を変更するように構成しても良い。
【０１０１】
また、本実施形態では、設定された画像の透過率が「４０％〜５０％」を基準範囲として説明したが、基準範囲は、かかる範囲限定されるものではなく、例えば、「５０％〜６０％」を基準範囲に設定するように構成しても良い。
【図面の簡単な説明】
【０１０２】
【図１】本発明の一実施形態の複合機の外観斜視図である。
【図２】複合機のプリンタ部の構造を示す縦断面図である。
【図３】複合機の制御部の構成を示すブロック図である。
【図４】線分太さ設定テーブルを示す模式図である。
【図５】印刷処理を示すフローチャートである。
【図６】線分太さ設定処理を示すフローチャートである。
【図７】記録用紙に印刷される印刷画像を説明するための図である。
【図８】記録用紙に印刷される印刷画像を説明するための図である。
【符号の説明】
【０１０３】
１０            複合機（多機能周辺装置）
１１            プリンタ部（記録手段）
１２            スキャナ部（読取手段）
４３            スロット部（格納手段）
８９ａ          印刷処理プログラム（記録画像作成プログラム）
Ｓ５            第１取得ステップ
Ｓ７            第２取得ステップ
Ｓ９            第１設定ステップ
Ｓ１０          第２設定ステップ
Ｓ１１          作成ステップ
Ｓ３２          判断手段
Ｓ３８          第３設定ステップ
Ｇ              画像
Ｋ              印刷画像（記録画像）
Ｍ              文字（文書、文書構成要素）
Ｐ              記録用紙（記録媒体）
【図１】
2009159354.tif 000003
【図２】
2009159354.tif 000004
【図３】
2009159354.tif 000005
【図４】
2009159354.tif 000006
【図５】
2009159354.tif 000007
【図６】
2009159354.tif 000008
【図７】
2009159354.tif 000009
【図８】
2009159354.tif 000010